【手続補正書】
【提出日】平成25年2月12日(2013.2.12)
【手続補正１】
【補正対象書類名】特許請求の範囲
【補正対象項目名】全文
【補正方法】変更
【補正の内容】
【特許請求の範囲】
【請求項１】
第１記憶部を有する第１ユニット嵌合部を具備する着脱自在な第１ユニットと、
第２記憶部を有する第２ユニット嵌合部を具備する着脱自在な第２ユニットと、
前記第１ユニット嵌合部と前記第２ユニット嵌合部とに対向するように配置され、前記第１記憶部と前記第２記憶部とに記憶された情報を読み取る読取部とを有する
ことを特徴とする情報処理装置。
【請求項２】
請求項１に記載の情報処理装置において、
前記第１ユニット及び前記第２ユニットは、前記第１ユニット嵌合部と前記第２ユニット嵌合部とで嵌合する
ことを特徴とする情報処理装置。
【請求項３】
請求項１に記載の情報処理装置において、
前記読取部は、前記第１ユニット嵌合部と前記第２ユニット嵌合部との間に配置されている
ことを特徴とする情報処理装置。
【請求項４】
請求項１又は請求項２に記載の情報処理装置において、
前記第１ユニット嵌合部は、第１位置決め部を有し、
前記第２ユニット嵌合部は、第２位置決め部を有し、
前記第１ユニット及び前記第２ユニットは、前記第１位置決め部と前記第２位置決め部とが当接することによって、位置決めされる
ことを特徴とする情報処理装置。
【請求項５】
請求項１乃至請求項４のいずれか一項に記載の情報処理装置において、
前記第１ユニット嵌合部又は前記第２ユニット嵌合部に傾斜部が設けられている
ことを特徴とする情報処理装置。
【請求項６】
請求項１乃至請求項５のいずれか一項に記載の情報処理装置において、
前記第１記憶部及び前記第２記憶部は、互いにずらして配置されている
ことを特徴とする情報処理装置。
【請求項７】
請求項１乃至請求項６のいずれか一項に記載の情報処理装置において、
前記第１記憶部及び前記第２記憶部は、
中央部に配置されたメモリ部材と、
前記メモリ部材から端部にかけて設けられたアンテナ部とを有する
ことを特徴とする情報処理装置。
【請求項８】
請求項１乃至請求項７のいずれか一項に記載の情報処理装置において、
前記読取部は、２つの交換ユニットに搭載された２つのデータキャリアと無線通信する通信アンテナとして構成されており、
さらに、前記通信アンテナを介して、２つの前記データキャリアと通信することにより、予め定められた演算を実行する情報処理部を有し、
２つの前記データキャリアは、２つの前記データキャリアのアンテナと前記通信アンテナとが互いに略平行でかつ近接するように、配置される
ことを特徴とする情報処理装置。
【請求項９】
請求項８に記載の情報処理装置において、
前記通信アンテナの出力は、近接して配置される２つの前記データキャリア以外のデータキャリアとは通信不可能な程度の弱い電磁波出力である
ことを特徴とする情報処理装置。
【請求項１０】
請求項８又は請求項９に記載の情報処理装置において、
２つの前記データキャリアのアンテナ及び前記通信アンテナは、平面形状であり、
２つの前記データキャリアは、２つの前記データキャリアのアンテナの一部だけが重なるように、配置されるとともに、
前記通信アンテナは、その外周が配置状態の２つの前記データキャリアのアンテナの外周を予め定められた径内で囲むように、形成されている
ことを特徴とする情報処理装置。
【請求項１１】
請求項１乃至請求項１０のいずれか一項に記載の情報処理装置において、
前記第１ユニットは、内部に像担持体を備える現像ユニットとして構成されており、かつ、
前記第２ユニットは、内部に現像剤を収容し、当該現像剤を前記現像ユニットに供給する現像剤収容器として構成されている
ことを特徴とする情報処理装置。
【請求項１２】
請求項１乃至請求項１０のいずれか一項に記載の情報処理装置において、
前記第１ユニット及び前記第２ユニットは、ともに、現像ユニットである
ことを特徴とする情報処理装置。
【請求項１３】
第１ユニットに関する第１情報を記憶する第１記憶部と、
第２ユニットに関する第２情報を記憶する第２記憶部と、
前記第１記憶部と前記第２記憶部とに対向し、前記第１情報と前記第２情報とを読み取る読取部とを有する
ことを特徴とする情報処理装置。
【請求項１４】
請求項１３に記載の情報処理装置において、
前記読取部の読取範囲は、前記第１記憶部及び前記第２記憶部以外の記憶部とは読取不可能な程度の範囲になっている
ことを特徴とする情報処理装置。
【請求項１５】
第１記憶部を有する第１ユニット嵌合部を具備する着脱自在な第１ユニットと、
第２記憶部を有する第２ユニット嵌合部を具備する着脱自在な第２ユニットと、
前記第１ユニット嵌合部と前記第２ユニット嵌合部とに対向するように配置され、前記第１記憶部と前記第２記憶部とに記憶された情報を読み取る読取部とを有し、
前記第１ユニットは、内部に像担持体を備える現像ユニットとして構成されており、
前記第２ユニットは、内部に現像剤を収容し、当該現像剤を前記現像ユニットに供給する現像剤収容器として構成されている
ことを特徴とする画像形成装置。
【請求項１６】
第１記憶部を有する第１ユニット嵌合部を具備する着脱自在な第１ユニットと、
前記現像ユニットとして構成され、第２記憶部を有する第２ユニット嵌合部を具備する着脱自在な第２ユニットと、
前記第１ユニット嵌合部と前記第２ユニット嵌合部とに対向するように配置され、前記第１記憶部と前記第２記憶部とに記憶された情報を読み取る読取部とを有し、
前記第１ユニット及び前記第２ユニットは、ともに、内部に像担持体を備える現像ユニットとして構成されている
ことを特徴とする画像形成装置。
【請求項１７】
第１ユニットに関する第１情報を記憶する第１記憶部と、
第２ユニットに関する第２情報を記憶する第２記憶部と、
前記第１記憶部と前記第２記憶部とに対向し、前記第１情報と前記第２情報とを読み取る読取部とを有する
ことを特徴とする画像形成装置。
【手続補正２】
【補正対象書類名】明細書
【補正対象項目名】００２２
【補正方法】変更
【補正の内容】
【００２２】
この種の情報処理装置は、様々な形態の装置として構成されている。例えば、図１に示すように、この種の情報処理装置は、プリンタや、複写機、ファクシミリ装置、複合機等の画像形成装置１として構成されている場合がある。ここでは、画像形成装置１がタンデム型の直接転写方式のカラー電子写真プリンタとして構成されている場合を想定して説明する。以下、画像形成装置１を「プリンタ１」と称する。また、以下、「画像形成」動作を「印刷」動作と称する場合もある。
【手続補正３】
【補正対象書類名】明細書
【補正対象項目名】００５６
【補正方法】変更
【補正の内容】
【００５６】
サイドフレーム６５の外面には、第２嵌合部６６（図３及び図５参照）が設けられている。第２嵌合部６６は、現像ユニット２０に設けられた第１嵌合部５６（図３及び図４参照）と嵌合する部位である。第２嵌合部６６は、サイドフレーム６５に形成された凹部２０２と、凹部２０２を形成する壁部２０３に形成された第２タグ収容部６７と、第２タグ収容部６７に配設された第２ＲＦＩＤタグＤ２と、第２タグ収容部６７を覆う第２蓋６８とからなる。第２嵌合部６６には、第１嵌合部５６を嵌入するための空間である凹部２０２（図５参照）が、現像ユニット２０の長手方向に設けられている。
【手続補正４】
【補正対象書類名】明細書
【補正対象項目名】０１５０
【補正方法】変更
【補正の内容】
【０１５０】
（１２）付記第１１項に係る画像形成装置は、前記第１ユニット及び前記第２ユニットは、ともに、内部に現像剤を収容し、当該現像剤を現像ユニットに供給する現像剤収容器として構成されているとよい。